(57)【要約】【課題】製造工程が容易であって、頻繁に使用しても彩色図柄と成形物は汚損されない奥行き感のある印鑑基材と印鑑並びに装飾具を提供することを課題とする。【解決手段】成形物３を彩色図柄８を施した透明な筒体２に挿入し、該筒体２を一端が閉塞された透明な筒体１に挿入し、他端に印面収納材４を設け、該印面収納台４の下端部に印面部５を装着し、キャップ７が取付けられている。【選択図】図２
2009029093.tif 000002
【特許請求の範囲】
【請求項１】
成形物を彩色図柄を施した透明な筒体に挿入し、該透明な筒体を一端が閉塞された透明な筒体に挿入し、他端に印面収納台を設けた印鑑基材及び印鑑。
【請求項２】
成形物を彩色図柄を施した透明な筒体に挿入し、該透明な筒体を一端が閉塞された透明な筒体に挿入し、他端に印面部を設けた印鑑基材及び印鑑。
【請求項３】
成形物に彩色図柄を施した請求項１乃至請求項２の印鑑基材及び印鑑。
【請求項４】
成形物に立体小物や平面状物体やシート体を貼付した請求項１乃至請求項３の印鑑基材及び印鑑。
【請求項５】
透明な筒体に立体小物や平面状物体やシート体を貼付した請求項１乃至請求項４の印鑑基材及び印鑑。
【請求項６】
一端が閉塞された透明な筒体の上端部に凹部があり絵柄シールを貼付した請求項１乃至請求項５の印鑑基材及び印鑑。
【請求項７】
彩色図柄を施した成形物、又は立体小物や平面状物体を貼付した成形物を、彩色図柄を施した透明な筒体に挿入し、該透明な筒体を一端が閉塞された透明な筒体に挿入したことを特徴とする装飾具。
【請求項８】
成形物が印鑑である請求項１乃至請求項７の印鑑基材、印鑑及び装飾具。
【発明の詳細な説明】
【技術分野】
【０００１】
この発明は、印鑑基材と印鑑並びに装飾具に関するものである。
【背景技術】
【０００２】
アクリル樹脂の印鑑も多種類見られるようになった。アクリル樹脂の有底状の筒体に絵柄付きシート体を挿入して流動性樹脂で固化する印鑑基材やそれに類似した印鑑も見られる。
【０００３】
近年は上端部にキャラクターの成形物付の印鑑が多く見られるようになったが、指で挟持して捺印する際に把手部分のキャラクターの成形物の形状が持ちにくくて不便である上、指の皮脂や汚れが付着して汚損する不都合があった。また、成形物が汚損しても洗えないので見苦しくなっている。
【０００４】
またキーホルダーのついた成形物付印鑑をカバンに入れた際、チェーン等の金属部分が成形物に接触し、成形物が傷だらけになったことがあった。
【発明の開示】
【発明が解決しようとする課題】
【０００５】
流動性樹脂で固化する印鑑基材としては特開２００３−１７５６６２号公報において、透明な筒体とこの筒体の内周面に積層された所定の絵柄を有する絵柄付きシ−ト体と、この絵柄付きシ−ト体の内側に所定の合成樹脂が注入されることによって形成した芯材からなる印鑑基材が提案されている。また特許第３６３０６６０号には有底状の透明な筒体内に注入する合成樹脂はエポキシ樹脂であることを特徴とするとある。これらの方法は非常に製造工程数が多く、流動性のエポキシ樹脂の注入や温度管理、さらに硬化には数時間を要する上に固化してからも高圧水での水研磨とバフ研磨をする大変手間のかかる製造方法である。特に手作業で行うバフ研磨は粉塵が生じるので環境衛生上も好ましくない。また有害性と引火性がある上、環境庁でも内分泌錯乱作用を有すると疑われ、注意を呼びかけられているエポキシ樹脂の使用は避けたほうがよい。
【０００６】
また流動性樹脂で固化しない印鑑機材としては特開２００５−１３８５９９号公報において透明な有底状の筒体と該筒体内に挿入された芯体と該芯体の外周面と筒体の内周面との間に介在した絵柄付きシート体からなる印鑑基材が提案されている。これは簡便な方法だが仕上り感に安っぽさが出てしまう。そこで、本出願人は特願２００６−１４５９０４号において、彩色図柄を施した一端が閉塞された透明な筒体に印面収納台付き成形物を挿入した印鑑基材及び印鑑を提案した。しかし、これらの印鑑基材及び印鑑は一端が閉塞された透明な筒体の内周面に彩色図柄を施すのが難しく、作業にスキルが必要となる問題がある。
【特許文献１】特開２００３−１７５６６２号公報
【特許文献２】特許第３６３０６６０号公報
【特許文献３】特開２００５−１３８５９９号公報
【課題を解決するための手段】
【０００７】
請求項１記載の発明は、成形物を彩色図柄を施した透明な筒体に挿入し、該透明な筒体を一端が閉塞された透明な筒体に挿入し、他端に印面収納台を設けた印鑑基材及び印鑑である。
【０００８】
ここで言う成形物とはシート体を丸めた物や筒体や円筒形，円錐形，キャラクターなどをさす。又、ここでいう彩色図柄とは、色、模様、文字、図形、イラスト、記号、写真、などを単独もしくは組み合わせて創作されたものを言う。
【０００９】
また彩色図柄を施す面は透明な筒体の内周面でも外周面でも構わないし、一端が閉塞された透明な筒体に彩色図柄を施しても、施さなくても構わない。
【００１０】
この発明によれば、印鑑基材は透明な筒体と一端が閉塞された透明な筒体と印面収納台と成形物により形成される。従って、昨今健康に有害と懸念されているエポキシ樹脂を使用することはない。また、印鑑を頻繁に使用し、筒体の表面が指の摩擦でこすれても、筒体内に収まっている成形物は汚損や破損するような不都合が生じることはなくいつまでも綺麗に保てる。
【００１１】
請求項２記載の発明は、成形物を彩色図柄を施した透明な筒体に挿入し、該透明な筒体を一端が閉塞された透明な筒体に挿入し、他端に印面部を設けた印鑑基材及び印鑑である。
【００１２】
この発明によれば、請求項１と同様に、昨今健康に有害と懸念されているエポキシ樹脂を使用することはない。また、印鑑を頻繁に使用し、筒体の表面が指の摩擦でこすれても、筒体内に収まっている成形物は汚損や破損するような不都合が生じることはなくいつまでも綺麗に保てる。
【００１３】
請求項３記載の発明は、成形物に彩色図柄を施した請求項１乃至請求項２の印鑑基材及び印鑑である。
【００１４】
この発明によれば、彩色図柄を施した透明な筒体と彩色図柄を施した成形物とで二層に表現され奥行き間のある綺麗な印鑑基材が出来上がる。
【００１５】
請求項４記載の発明は、成形物に立体小物や平面状物体やシート体を貼付した請求項１乃至請求項３の印鑑基材及び印鑑である。
【００１６】
請求項５記載の発明は、透明な筒体に立体小物や平面状物体やシート体を貼付した請求項１乃至請求項４の印鑑基材及び印鑑である。
【００１７】
これらの発明によれば、彩色図柄を施した透明な筒体と成形物又は透明な筒体に貼付した立体小物や平面状物体やシート体で単なる二層の表現では表せないえもゆわれぬ立体感が表現できる。
【００１８】
請求項６記載の発明は、一端が閉塞された透明な筒体の上端部に凹部があり絵柄シールを貼付した請求項１乃至請求項５の印鑑基材及び印鑑である。
【００１９】
この発明によれば、印鑑基材を真上から見たときに筒の断面などが見えることなく、すっきりと、綺麗に見せることが出来る。又この発明によれば、筒体の上端部に凹面があり絵柄シールの画像を、刻面と同じ絵柄の画像にして貼付すれば印面側を見なくても、他人の印鑑との間違いを防ぐことができる上、筒体の上端部は凹面に成形されているため頻繁に使用しても、絵柄シールは指の爪に引っかかって剥がれる事はない。
【００２０】
請求項７記載の発明は彩色図柄を施した成形物、又は立体小物や平面状物体を貼付した成形物を、彩色図柄を施した透明な筒体に挿入し、該透明な筒体を一端が閉塞された透明な筒体に挿入したことを特徴とする装飾具である。この発明によれば、請求項１から請求項６までと同様の効果を装飾具に得ることが出来る。
【００２１】
請求項８記載の発明は、成形物が印鑑である請求項１乃至請求項６の印鑑基材、印鑑及び装身具である。
【００２２】
この発明によれば印鑑に採用すれば、他人からは見つかりにくい隠し効果のある親子印が出来る。又装飾具に印鑑を採用すれば装飾具と印鑑という２つの用途を兼ねることが出来る上、印鑑を隠す効果もある。
【発明の効果】
【００２３】
本発明によれば、印面部は合成樹脂に限らず従来の印材が採用可能である。またキャラクターなどの成形物は筒体の中に挿入しているので、頻繁に印鑑を使用しても汚損や破損する不都合がない。
【００２４】
印鑑基材を製造する際に、有害性と引火性のある充填材（エポキシ樹脂）を使用する方法があるが、工程数も多く大変手間のかかる製造方法である。本発明によれば流動性のエポキシ樹脂を使用しない方法で簡単に組み立てて生産するので、より一層のコスト削減が可能である。
【００２５】
本発明によれば、透明な筒体に彩色図柄を施し、加えて成形物にも彩色図柄を施すと二層の彩色図柄が適宜の空間を介して、奥行き感をかもし出すことが可能である。又、立体小物や平面状物体を貼ることで三層の効果も出せる。その上、一端が閉塞された透明な筒体にも彩色図柄を施こすことで、四層の効果も出せて、今までにない奥行き感のあるオリジナル性に富んだものができる。
【００２６】
本発明によれば、筒体の上端部に絵柄シ−ルを貼付する際、印面と同じ文字や柄や画像を作成すれば、本来視認できない筈の文字や柄や画像を印鑑の上方向からも視認が可能であるので他人の物との区別が付けやすくなるメリットがある。
【発明を実施するための最良の形態】
【００２７】
以下各図面で具体例を挙げているが本考案はこれらに限定されるものではない。
図１から図３は本発明に係る印鑑の第一実施形態を示す図であり図１は正面図、図２は図１のＡ−Ａ線断面図、図３は図１のＢ−Ｂ線断面図である。図２に示すように、第一実施形態の印鑑は透明な筒体２に印面収納台４を取り付けて外周面に透明な彩色図柄８を施したシート体を貼付し、中に彩色図柄付き印刷物を丸めて作った成形物３を挿入し、該透明な筒体２を一端が閉塞された透明な筒体１に挿入し、該一端が閉塞された透明な筒体１の上端部に凹面があり絵柄シール６を貼付している。印面収納台４には刻面を有する浸透印タイプの印面部５が取り付けられており、キャップ７を被せている。又、印面収納台４と一端が閉塞された透明な筒体１とは固着されている基本構成を備えている。
【００２８】
透明な筒体２に印面収納台４を取り付けて外周面に巻く彩色図柄８を施したシート体は透明でも半透明でも不透明でもよい。しかし不透明なシールの場合は、一部切り抜くなどして中が見えるような工夫が必要である。
【００２９】
本実施形態は透明な筒体２に印面収納台４を取り付けて、外周面に彩色図柄８付きシート体を巻き加飾をしているが、透明な筒体２の内周面に彩色図柄を施してもいい。又これに限定をされるものではなく、一端が閉塞された透明な筒体１に彩色図柄を施すのもよい。又、透明な筒体２の中に挿入する成形物３は絵柄をオフセット機で印刷したものであるが、これに限らずスクリーン印刷でもインクジェットの出力物でも良いし、その他の印刷でもよい。又、ホログラムのような柄の入った箔フィルムや、はりのある布地でも構わない。
【００３０】
上記一端が閉塞された透明な筒体１と透明な筒体２は円筒形状のものを採用しているが円筒形状に限定されるものではなく、楕円形状、多角形状などのものを採用することができる。また本実施形態において一端が閉塞された透明な筒体１と透明な筒体２はアクリルの透明樹脂を用いているが、これに限定されるものではなく、透明度が高いものであればほかの物質でもよい。
【００３１】
上記絵柄シール６は印刷物シールの上に透明なドーム形状のシールを貼って出来ている。しかしこれに限定をされるものではなく、印刷物シールのみを貼っても構わない。また、印刷物シールの表面に蒸着ポリエステルフィルムの微細片を混入したポッテング用の樹脂で盛上げて加工をしてもよい。また本実施形態において、一端が閉塞されている透明な筒体の上端部に凹面があるがこれに限定されるものではなく、上端部に凹面がなくてもよい。
【００３２】
また、本実施形態において一端が閉塞された透明な筒体１は印面収納台４に固着する方法を取っているが取り外し可能にしてもよいし、印面収納台４には刻面を有する浸透印タイプの印面部５が取り付けられているが、天然素材の牙や木や石などに彫刻を施している印面部に変えてもよい。
【００３３】
図４から図６は、本発明に係る印鑑の第二実施形態を示す図であり図４は正面図、図５は図４のＣ−Ｃ線断面図、図６は図４のＤ−Ｄ線断面図である。図４に示すように、第二実施形態の印鑑は立体小物２０や平面状物体１９を貼付した成形物１３を印面部１５に固着し、該成形物１３を彩色図柄１８を内周面に施した透明な筒体１２に挿入し、該透明な筒体１２を一端が閉塞された透明な筒体１１に挿入している。なお一端が閉塞された透明な筒体１１には上端部に凹面があり絵柄シール１６を貼付している。他端には印面部１５を設け、該印面部１５には彫刻を施しており、キャップ１７を被せている基本構成を備えている。
【００３４】
また、本実施形態において成形物１３は印面部１５に接着して固着する方法を取っているが取り外し可能にしてもよい。また一端が閉塞された透明な筒体１１に直接印面部１５を取り付けているが、印面収納台を介して印面部１５を取り付けても構わない。また、キャップ１７は無くても構わない。
【００３５】
さらに、本実施形態において一端が閉塞されている透明な筒体１１の上端部には凹面があるがこれに限定されるものでは無く、上端部に凹面がなくてもよい。
【００３６】
前記絵柄シール１６は平面状でも半立体状でも構わない。
【００３７】
また、本実施形態において印面部１５に彫刻を施しているが、印面収納台を設けて刻面を有する浸透印を取り付けてもよい。
【００３８】
図７から図８は、本発明に係る印鑑の第三又は第四実施形態の成形物２３を示す図であり図７は成形物２３の正面図、図８は成形物２３の底面図である。図７に示すように、成形物２３は印面２３１を設けている基本構成を備えている。この成形物２３を第一又は第二実施形態の成形物として使用することで第三又は第四実施形態の本発明の印鑑基材又は印鑑を構成する。
【００３９】
本実施形態においては印面２３１は成形物２３と接着して合体しているが埋め込み式でもよく、又成形物２３に直接彫刻を施しても構わない。
【図面の簡単な説明】
【００４０】
【図１】本発明に係る印鑑の第一実施形態の正面図である。
【図２】図１のＡ−Ａ線断面図である。
【図３】図１のＢ−Ｂ線断面図である。
【図４】本発明に係る印鑑の第二実施形態の正面図である。
【図５】図４のＣ−Ｃ線断面図である。
【図６】図４のＤ−Ｄ線断面図である。
【図７】本発明に係る印鑑の第三実施形態の成形物の正面図である。
【図８】図７の底面図である。
【符号の説明】
【００４１】
１，１１…一端が閉塞された透明な筒体
２，１２…透明な筒体
３，１３，２３…成形物
４…印面収納台
５，１５…印面部
６，１６…絵柄シール
７，１７…キャップ
８，１８…彩色図柄
１９…平面状物体
２０…立体小物
２３１…印面
【図１】
2009029093.tif 000003
【図２】
2009029093.tif 000004
【図３】
2009029093.tif 000005
【図４】
2009029093.tif 000006
【図５】
2009029093.tif 000007
【図６】
2009029093.tif 000008
【図７】
2009029093.tif 000009
【図８】
2009029093.tif 000010